(57)【特許請求の範囲】
【請求項１】
機器を識別可能な識別情報を無線で送信可能な第１の機器と、
通信範囲内に位置する前記第１の機器から送信された前記識別情報を、無線で受信可能な第１の受信手段と、
前記第１の受信手段が受信した前記識別情報に基づいて、前記第１の機器が前記通信範囲内に位置するか否かを判定する第１の判定手段と、
画像を出力する画像出力手段と、
前記第１の判定手段による前記第１の機器が前記通信範囲内に位置するとの判定に基づいて、前記画像出力手段に画像を出力させる第１の出力制御手段と、
を備える画像出力システムであって、
機器を識別可能な識別情報を無線で送信可能な第２の機器と、
通信範囲内に位置する前記第２の機器から送信された前記識別情報を、無線で受信可能な第２の受信手段と、
第２の受信手段が受信した前記識別情報に基づいて、前記第２の機器が前記通信範囲内に位置するか否かを判定する第２の判定手段と、
前記第２の判定手段による前記第２の機器が前記通信範囲内に位置するとの判定に基づいて、前記画像出力手段による画像の出力に制限を加える第１の制限制御手段と、
を更に備えたことを特徴とする画像出力システム。
【請求項２】
前記制限に関する通知情報を前記第１の機器または第２の機器に無線で送信する通知手段と、
前記通知手段から送信された通知情報の受信に基づき、前記制限に関する報知を実行する第１の機器または第２の機器に設けられた報知手段と
を更に備えたことを特徴とする請求項１に記載の画像出力システム。
【請求項３】
機器を識別可能な識別情報を無線で送信可能な第２の機器と、
通信範囲内に位置する前記第２の機器から送信された前記識別情報を、無線で受信可能な第２の受信手段と、
前記第２の受信手段が受信した前記識別情報に基づいて、前記第２の機器が前記通信範囲内に位置するか否かを判定する第２の判定手段と、
外部機器からの画像出力指令に基づいて画像を出力する画像出力手段と
を備える画像出力システムであって、
前記画像出力手段によって前記画像出力指令に基づく画像を出力する際に、前記第２の判定手段によって前記第２の機器が前記通信範囲内に位置すると判定された場合は、前記画像出力手段による画像の出力に制限を加える第２の制限手段と
を更に備えたことを特徴とする画像出力システム。
【請求項４】
前記制限に関する通知情報を第２の機器に無線で送信する通知手段と、
前記通知手段から送信された通知情報の受信に基づき、前記制限に関する報知を実行する第２の機器に設けられた報知手段と
を更に備えたことを特徴とする請求項２に記載の画像出力システム。
【請求項５】
前記制限は、前記第２の判定手段による前記第２の機器が前記通信範囲に位置しないとの判定に基づいて解除される
ことを特徴とする請求項１〜４のいずれかに記載の画像出力システム。
【請求項６】
前記第２の機器が、前記第２の受信手段から遠ざかっているか否かを判定する第３の判定手段を更に備え、
前記制限は、前記第３の判定手段による前記第２の機器が前記第２の受信手段から遠ざかっているとの判定に基づいて解除される
ことを特徴とする請求項１〜４のいずれかに記載の画像出力システム。
【請求項７】
前記第３の判定手段は、
前記通信範囲を拡縮可能な通信範囲切替手段と、
前記通信範囲切替手段により通信範囲を拡縮して、各通信範囲で前記第２の機器との通信が可能な否かを判断し、前記第２の機器との通信が可能な通信範囲を確認する確認手段と、
を備え、
前記確認手段によって前記通信範囲を繰り返し確認した結果に基づいて、前記第２の機器が遠ざかっていると判定することを
特徴とする請求項６記載の画像出力システム。
【請求項８】
機器を識別可能な識別情報を無線で送信可能な第１の機器と、
通信範囲内に位置する前記第１の機器から送信された前記識別情報を、無線で受信可能な第１の受信手段と、
前記第１の受信手段が受信した前記識別情報に基づいて、前記第１の機器が前記通信範囲内に位置するか否かを判定する第１の判定手段と、
画像を出力する画像出力手段と、
前記第１の判定手段による前記第１の機器が前記通信範囲内に位置するとの判定に基づいて、前記画像出力手段に画像を出力させる第１の出力制御手段と、
を備える画像出力システムであって、
機器を識別可能な識別情報を無線で送信可能な第２の機器と、
通信範囲内に位置する前記第２の機器から送信された前記識別情報を、無線で受信可能な第２の受信手段と、
前記第２の機器が、前記第２の受信手段に近づいているか否かを判定する第４の判定手段と、
前記第４の判定手段による前記第２の機器が前記第２の受信手段に近づいているとの判定に基づいて、前記画像出力手段による画像の出力に制限を加える第３の制限制御手段と
を更に備えたことを特徴とする画像出力システム。
【請求項９】
前記第４の判定手段は、
前記通信範囲を拡縮可能な通信範囲切替手段と、
前記通信範囲切替手段により通信範囲を拡縮して、各通信範囲で前記第２の機器との通信が可能な否かを判断し、前記第２の機器との通信が可能な通信範囲を確認する確認手段と、
を備え、
前記確認手段によって前記通信範囲を繰り返し確認した結果に基づいて、前記第２の機器が近づいていると判定する
ことを特徴とする請求項８記載の画像出力システム。
【請求項１０】
機器を識別可能な識別情報を無線で送信可能な第１の機器と、
機器を識別可能な識別情報を無線で送信可能な第２の機器と、
通信範囲内に位置する前記第１の機器から送信された前記識別情報を、無線で受信可能な第１の受信手段と、
通信範囲内に位置する前記第２の機器から送信された前記識別情報を、無線で受信可能な第２の受信手段と、
前記識別情報が関連付けられている画像を受信する第３の受信手段と、
前記第１の受信手段が受信した前記識別情報に基づいて、前記第１の機器が前記通信範囲内に位置するか否かを判定する第１の判定手段と、
前記第２の受信手段が受信した前記識別情報に基づいて、前記第２の機器が前記通信範囲内に位置するか否かを判定する第２の判定手段と、
画像を出力する画像出力手段と、
前記第１の判定手段による前記第１の機器が前記通信範囲に位置するとの判定に基づいて、前記第３の受信手段によって受信した、前記第１の機器を識別する識別情報が関連付けられている画像を、前記画像出力手段に出力させる第２の出力制御手段と、
前記第２の判定手段による前記第２の機器が前記通信範囲に位置するとの判定に基づいて、前記第３の受信手段によって受信した、前記第２の機器を識別する識別情報が関連付けられている画像を、前記画像出力手段に出力させる第３の出力制御手段と、
を備える画像出力システムであって、
前記第３の受信手段による、前記第２の機器を識別する識別情報が関連付けられている画像の受信に基づいて、前記画像出力手段及び前記第２の出力制御手段による画像の出力に制限を加える第４の制限制御手段と
をさらに備えたことを特徴とする画像出力システム。
【請求項１１】
前記制限に関する通知情報を前記第１の機器または第２の機器に無線で送信する通知手段と、
前記通知手段から送信された通知情報の受信に基づき、前記制限に関する報知を実行する第１の機器または第２の機器に設けられた報知手段と
を更に備えたことを特徴とする請求項８〜１０のいずれかに記載の画像出力システム。
【請求項１２】
前記識別情報に基づいて、前記第２の機器が予め定められた条件を満たす機器であるか否かを判定する第５の判定手段を更に備え、
前記制限制御手段は、前記第５の判定手段によって、前記第２の機器が予め定められた条件を満たす機器であると判定された場合は、前記制限を加えないことを特徴とする請求項１〜１１のいずれかに記載の画像出力システム。
【請求項１３】
前記制限に対する制限解除指令を送信する制限解除手段を更に備え、
前記制限制御手段は、前記制限解除手段から送信された制限解除指令に基づき、前記制限を解除することを特徴とする請求項１〜１２のいずれかに記載の画像出力システム。
【請求項１４】
前記識別情報を通信する通信規格は、無線ＬＡＮ規格であることを特徴とする請求項１〜１３のいずれかに記載の画像出力システム。
【請求項１５】
前記無線ＬＡＮ規格は、Ｂｌｕｅｔｏｏｔｈ規格であることを特徴とする請求項１４記載の画像出力システム。
【請求項１６】
機器を識別可能な識別情報を無線で送信可能な、通信範囲内に位置する第１の機器から送信された前記識別情報を、無線で受信可能な第１の受信手段と、
前記第１の受信手段が受信した前記識別情報に基づいて、前記第１の機器が前記通信範囲内に位置するか否かを判定する第１の判定手段と、
画像を出力する画像出力手段と、
前記第１の判定手段による前記第１の機器が前記通信範囲内に位置するとの判定に基づいて、前記画像出力手段に画像を出力させる第１の出力制御手段と、
を備える画像出力装置であって、
機器を識別可能な識別情報を無線で送信可能な、通信範囲内に位置する第２の機器から送信された前記識別情報を、無線で受信可能な第２の受信手段と、
第２の受信手段が受信した前記識別情報に基づいて、前記第２の機器が前記通信範囲内に位置するか否かを判定する第２の判定手段と、
前記第２の判定手段による前記第２の機器が前記通信範囲内に位置するとの判定に基づいて、前記画像出力手段による画像の出力に制限を加える第１の制限制御手段と、
を更に備えたことを特徴とする画像出力装置。
【請求項１７】
機器を識別可能な識別情報を無線で送信可能な、通信範囲内に位置する第２の機器から送信された前記識別情報を、無線で受信可能な第２の受信手段と、
前記第２の受信手段が受信した前記識別情報に基づいて、前記第２の機器が前記通信範囲内に位置するか否かを判定する第２の判定手段と、
外部機器からの画像出力指令に基づいて画像を出力する画像出力手段と
を備える画像出力装置であって、
前記画像出力手段によって前記画像出力指令に基づく画像を出力する際に、前記第２の判定手段によって前記第２の機器が前記通信範囲内に位置すると判定された場合は、前記画像出力手段による画像の出力に制限を加える第２の制限手段と
を更に備えたことを特徴とする画像出力装置。
【請求項１８】
機器を識別可能な識別情報を無線で送信可能な、通信範囲内に位置する第１の機器から送信された前記識別情報を、無線で受信可能な第１の受信手段と、
前記第１の受信手段が受信した前記識別情報に基づいて、前記第１の機器が前記通信範囲内に位置するか否かを判定する第１の判定手段と、
画像を出力する画像出力手段と、
前記第１の判定手段による前記第１の機器が前記通信範囲内に位置するとの判定に基づいて、前記画像出力手段に画像を出力させる第１の出力制御手段と、
を備える画像出力装置であって、
機器を識別可能な識別情報を無線で送信可能な、通信範囲内に位置する第２の機器から送信された前記識別情報を、無線で受信可能な第２の受信手段と、
前記第２の機器が、前記第２の受信手段に近づいているか否かを判定する第４の判定手段と、
前記第４の判定手段による前記第２の機器が前記第２の受信手段に近づいているとの判定に基づいて、前記画像出力手段による画像の出力に制限を加える第３の制限制御手段と
を更に備えたことを特徴とする画像出力装置。
【請求項１９】
機器を識別可能な識別情報を無線で送信可能な、通信範囲内に位置する第１の機器から送信された前記識別情報を、無線で受信可能な第１の受信手段と、
機器を識別可能な識別情報を無線で送信可能な、通信範囲内に位置する第２の機器から送信された前記識別情報を、無線で受信可能な第２の受信手段と、
前記識別情報が関連付けられている画像を受信する第３の受信手段と、
前記第１の受信手段が受信した前記識別情報に基づいて、前記第１の機器が前記通信範囲内に位置するか否かを判定する第１の判定手段と、
前記第２の受信手段が受信した前記識別情報に基づいて、前記第２の機器が前記通信範囲内に位置するか否かを判定する第２の判定手段と、
画像を出力する画像出力手段と、
前記第１の判定手段による前記第１の機器が前記通信範囲に位置するとの判定に基づいて、前記第３の受信手段によって受信した、前記第１の機器を識別する識別情報が関連付けられている画像を、前記画像出力手段に出力させる第２の出力制御手段と、
前記第２の判定手段による前記第２の機器が前記通信範囲に位置するとの判定に基づいて、前記第３の受信手段によって受信した、前記第２の機器を識別する識別情報が関連付けられている画像を、前記画像出力手段に出力させる第３の出力制御手段と、
を備える画像出力装置であって、
前記第３の受信手段による、前記第２の機器を識別する識別情報が関連付けられている画像の受信に基づいて、前記画像出力手段及び前記第２の出力制御手段による画像の出力に制限を加える第４の制限制御手段と
をさらに備えたことを特徴とする画像出力装置。
【請求項２０】
機器を識別可能な識別情報を無線で送信可能な、通信範囲内に位置する第１の機器から送信された前記識別情報を、無線で受信可能な第１の受信手段と、
前記第１の受信手段が受信した前記識別情報に基づいて、前記第１の機器が前記通信範囲内に位置するか否かを判定する第１の判定手段と、
前記第１の判定手段による前記第１の機器が前記通信範囲内に位置するとの判定に基づいて、画像を出力する画像出力手段に画像を出力させる第１の出力制御手段と、
を備える検出装置であって、
機器を識別可能な識別情報を無線で送信可能な、通信範囲内に位置する第２の機器から送信された前記識別情報を、無線で受信可能な第２の受信手段と、
第２の受信手段が受信した前記識別情報に基づいて、前記第２の機器が前記通信範囲内に位置するか否かを判定する第２の判定手段と、
前記第２の判定手段による前記第２の機器が前記通信範囲内に位置するとの判定に基づいて、前記画像出力手段による画像の出力に制限を加える第１の制限制御手段と、
を更に備えたことを特徴とする検出装置。
【請求項２１】
機器を識別可能な識別情報を無線で送信可能な、通信範囲内に位置する第２の機器から送信された前記識別情報を、無線で受信可能な第２の受信手段と、
前記第２の受信手段が受信した前記識別情報に基づいて、前記第２の機器が前記通信範囲内に位置するか否かを判定する第２の判定手段と、
を備える検出装置であって、
外部機器からの画像出力指令に基づいて画像を出力する画像出力手段によって前記画像出力指令に基づく画像を出力する際に、前記第２の判定手段によって前記第２の機器が前記通信範囲内に位置すると判定された場合は、前記画像出力手段による画像の出力に制限を加える第２の制限手段と
を更に備えたことを特徴とする検出装置。
【請求項２２】
機器を識別可能な識別情報を無線で送信可能な、通信範囲内に位置する第１の機器から送信された前記識別情報を、無線で受信可能な第１の受信手段と、
前記第１の受信手段が受信した前記識別情報に基づいて、前記第１の機器が前記通信範囲内に位置するか否かを判定する第１の判定手段と、
前記第１の判定手段による前記第１の機器が前記通信範囲内に位置するとの判定に基づいて、画像を出力する画像出力手段に画像を出力させる第１の出力制御手段と、
を備える検出装置であって、
機器を識別可能な識別情報を無線で送信可能な、通信範囲内に位置する第２の機器から送信された前記識別情報を、無線で受信可能な第２の受信手段と、
前記第２の機器が、前記第２の受信手段に近づいているか否かを判定する第４の判定手段と、
前記第４の判定手段による前記第２の機器が前記第２の受信手段に近づいているとの判定に基づいて、前記画像出力手段による画像の出力に制限を加える第３の制限制御手段と
を更に備えたことを特徴とする検出装置。
【請求項２３】
機器を識別可能な識別情報を無線で送信可能な、通信範囲内に位置する第１の機器から送信された前記識別情報を、無線で受信可能な第１の受信手段と、
機器を識別可能な識別情報を無線で送信可能な、通信範囲内に位置する第２の機器から送信された前記識別情報を、無線で受信可能な第２の受信手段と、
前記識別情報が関連付けられている画像を受信する第３の受信手段と、
前記第１の受信手段が受信した前記識別情報に基づいて、前記第１の機器が前記通信範囲内に位置するか否かを判定する第１の判定手段と、
前記第２の受信手段が受信した前記識別情報に基づいて、前記第２の機器が前記通信範囲内に位置するか否かを判定する第２の判定手段と、
前記第１の判定手段による前記第１の機器が前記通信範囲に位置するとの判定に基づいて、前記第３の受信手段によって受信した、前記第１の機器を識別する識別情報が関連付けられている画像を、画像を出力する画像出力手段に出力させる第２の出力制御手段と、
前記第２の判定手段による前記第２の機器が前記通信範囲に位置するとの判定に基づいて、前記第３の受信手段によって受信した、前記第２の機器を識別する識別情報が関連付けられている画像を、前記画像出力手段に出力させる第３の出力制御手段と、
を備える検出装置であって、
前記第３の受信手段による、前記第２の機器を識別する識別情報が関連付けられている画像の受信に基づいて、前記画像出力手段及び前記第２の出力制御手段による画像の出力に制限を加える第４の制限制御手段と
をさらに備えたことを特徴とする検出装置。
【請求項２４】
画像を形成する画像出力装置に、
機器を識別可能な識別情報を無線で送信可能な、通信範囲内に位置する第１の機器から送信された前記識別情報を、無線で受信する第１の受信処理と、
前記第１の受信処理で受信した前記識別情報に基づいて、前記第１の機器が前記通信範囲内に位置するか否かを判定する第１の判定処理と、
前記第１の判定処理による前記第１の機器が前記通信範囲内に位置するとの判定に基づいて、前記画像出力装置に画像を出力させる第１の出力制御処理と、
を実行させるプログラムであって、
機器を識別可能な識別情報を無線で送信可能な、通信範囲内に位置する第２の機器から送信された前記識別情報を、無線で受信する第２の受信処理と、
第２の受信処理で受信した前記識別情報に基づいて、前記第２の機器が前記通信範囲内に位置するか否かを判定する第２の判定処理と、
前記第２の判定処理による前記第２の機器が前記通信範囲内に位置するとの判定に基づいて、前記画像出力手段による画像の出力に制限を加える第１の制限制御処理と、
を更に実行させることを特徴とするプログラム。
【請求項２５】
外部機器からの画像出力指令に基づいて画像を出力する画像出力装置に、
機器を識別可能な識別情報を無線で送信可能な、通信範囲内に位置する第２の機器から送信された前記識別情報を、無線で受信可能な第２の受信処理と、
前記第２の受信処理で受信した前記識別情報に基づいて、前記第２の機器が前記通信範囲内に位置するか否かを判定する第２の判定処理と、
を実行させるプログラムであって、
前記画像出力装置によって前記画像出力指令に基づく画像を出力する際に、前記第２の判定処理によって前記第２の機器が前記通信範囲内に位置すると判定された場合は、前記画像出力装置による画像の出力に制限を加える第２の制限手段と
を更に実行させることを特徴とするプログラム。
【請求項２６】
画像を出力する画像出力装置に、
機器を識別可能な識別情報を無線で送信可能な、通信範囲内に位置する第１の機器から送信された前記識別情報を、無線で受信する第１の受信処理と、
前記第１の受信処理が受信した前記識別情報に基づいて、前記第１の機器が前記通信範囲内に位置するか否かを判定する第１の判定処理と、
前記第１の判定処理による前記第１の機器が前記通信範囲内に位置するとの判定に基づいて、前記画像出力装置に画像を出力させる第１の出力制御処理と、
を実行させるプログラムであって、
機器を識別可能な識別情報を無線で送信可能な、通信範囲内に位置する第２の機器から送信された前記識別情報を、無線で受信可能な第２の受信処理と、
前記第２の機器が、前記第２の受信手段に近づいているか否かを判定する第４の判定処理と、
前記第４の判定処理による前記第２の機器が前記第２の受信手段に近づいているとの判定に基づいて、前記画像出力装置による画像の出力に制限を加える第３の制限制御処理と
を更に実行させることを特徴とするプログラム。
【請求項２７】
画像を出力する画像出力装置に、
機器を識別可能な識別情報を無線で送信可能な、通信範囲内に位置する第１の機器から送信された前記識別情報を、無線で受信する第１の受信処理と、
機器を識別可能な識別情報を無線で送信可能な、通信範囲内に位置する第２の機器から送信された前記識別情報を、無線で受信する第２の受信処理と、
前記識別情報が関連付けられている画像を受信する第３の受信処理と、
前記第１の受信処理で受信した前記識別情報に基づいて、前記第１の機器が前記通信範囲内に位置するか否かを判定する第１の判定処理と、
前記第２の受信処理で受信した前記識別情報に基づいて、前記第２の機器が前記通信範囲内に位置するか否かを判定する第２の判定処理と、
前記第１の判定処理による前記第１の機器が前記通信範囲に位置するとの判定に基づいて、前記第３の受信処理で受信した、前記第１の機器を識別する識別情報が関連付けられている画像を、前記画像出力装置に出力させる第２の出力制御処理と、
前記第２の判定処理で前記第２の機器が前記通信範囲に位置するとの判定に基づいて、前記第３の受信処理で受信した、前記第２の機器を識別する識別情報が関連付けられている画像を、前記画像出力装置に出力させる第３の出力制御処理と、
を実行させるプログラムであって、
前記第３の受信処理による、前記第２の機器を識別する識別情報が関連付けられている画像の受信に基づいて、前記画像出力処理及び前記第２の出力制御処理による画像の出力に制限を加える第４の制限制御処理と
をさらに実行させることを特徴とするプログラム。
【請求項２８】
請求項２４〜２７のいずれかに記載のプログラムを記録したことを特徴とする記録媒体。
【発明の詳細な説明】
【０００１】
【発明の属する技術分野】
本発明は、画像出力手段で画像を出力する画像出力システム等に関する。
【０００２】
【従来の技術】
従来より、画像出力手段によって画像を出力する画像出力システムにおいては、秘密を守るためやプライバシーを保護するために、関係のない者や不適切な者によって画像が見られてしまわないように工夫がなされている場合がある。
【０００３】
例えば、携帯可能な機器と、通信範囲内に位置する機器を検出する検出手段と、検出手段によって機器が検出されるか否かを判定する判定手段と、画像を出力する画像出力手段と、判定手段によって通信範囲内に機器が存在するとの判定に基づいて、画像出力手段に画像を出力させる出力制御手段と、を備える画像出力システムによって、秘密を守ったり、プライバシーを保護したりすることが考えられている。
【０００４】
この画像出力システムによれば、例えば、画像出力手段がプリンタである場合、そのプリンタの近くに検出手段を配置することにより、機器を所有する人がプリンタに近づいた場合のみ、プリンタから印刷物が出力されるので、機器を所有する人がプリンタに近づかない状況においては、プリンタから印刷物を出力させないようにすることができ、秘密を守ったり、プライバシーを保護したりすることが可能になるのである。
【０００５】
そのため、具体的には、機器を所有する上司が、部下に見られたくない印刷物を出力する場合、この画像出力システムを用いると、機器を所有した上司がプリンタに近づかない限り、部下に印刷物を見られることはない。
【０００６】
【発明が解決しようとする課題】
しかし、この画像出力システムを用いたとしても、第三者（部下）がプリンタの近くにいる時に、機器を所有する人（上司）がプリンタに近づいてしまうと、印刷物が出力されてしまうので、第三者（部下）に印刷物を見られてしまうという問題点があった。
【０００７】
そこで、本発明は、画像を見られたくない人が画像出力手段の近くにいる場合に、その人に画像を見られてしまうのを防止することができる画像出力システム等を提供することを目的とする。
【０００８】
【課題を解決するための手段及び発明の効果】
上記目的を達するためになされた請求項１記載の発明は、機器を識別可能な識別情報を無線で送信可能な第１の機器と、通信範囲内に位置する前記第１の機器から送信された前記識別情報を、無線で受信可能な第１の受信手段と、前記第１の受信手段が受信した前記識別情報に基づいて、前記第１の機器が前記通信範囲内に位置するか否かを判定する第１の判定手段と、画像を出力する画像出力手段と、前記第１の判定手段による前記第１の機器が前記通信範囲内に位置するとの判定に基づいて、前記画像出力手段に画像を出力させる第１の出力制御手段と、を備える画像出力システムであって、機器を識別可能な識別情報を無線で送信可能な第２の機器と、通信範囲内に位置する前記第２の機器から送信された前記識別情報を、無線で受信可能な第２の受信手段と、第２の受信手段が受信した前記識別情報に基づいて、前記第２の機器が前記通信範囲内に位置するか否かを判定する第２の判定手段と、前記第２の判定手段による前記第２の機器が前記通信範囲内に位置するとの判定に基づいて、前記画像出力手段による画像の出力に制限を加える第１の制限制御手段と、を更に備えたことを特徴とする。
【０００９】
この画像出力システムによれば、第１の機器が第１の受信手段の通信範囲に位置するとき（すなわち、第１の受信手段において第１の機器の存在を認識できるとき）に限り、画像出力手段によって画像が出力されるが、第１の機器が第１の受信手段の通信範囲に位置するときであっても、第２の機器が第２の受信手段の通信範囲に位置するとき（すなわち、第２の受信手段において第２の機器の存在を認識できるとき）は、画像出力手段から出力される画像の出力に制限が加えられる。
【００１０】
そのため、第１の受信手段及び第２の受信手段を画像出力手段の周囲に配置することにより、第１の機器が、画像出力手段の周囲に配置された第１の受信手段の通信範囲に位置するときであっても、第２の機器が、画像出力手段の周囲に配置された第２の受信手段の通信範囲に位置するときは、画像出力手段による画像の出力が制限される。
【００１１】
従って、本発明の画像出力システムを用いて、画像出力手段から出力される画像を見られたくない人が所有する機器を、上記第２の機器として識別することにより、画像を見られたくない人が第２の受信手段の近くにいる場合には、画像出力手段からの画像出力に制限を加えて、画像を見られたくない人に画像が見られてしまうことを防止することが可能となる。
【００１２】
尚、第１の受信手段及び第２の受信手段の設置場所は、画像出力手段と同じ場所に限られるものではなく、上記効果を奏する場所であれば、画像出力手段からいくらか離れた場所でもよい。
また、画像出力手段は、プリンタ、ファクシミリ、テレビ、映写機等、画像を出力するものであればどのようなものでもよい。
【００１３】
更に、上記制限は、画像の出力を禁止したり、中断したりすることによる制限であっても良いし、見られても差し支えのない画像を出力したり、画像の少なくとも一部を黒塗りすることによる制限であっても良い。
なお、請求項１６に記載した画像出力装置は、機器を識別可能な識別情報を無線で送信可能な、通信範囲内に位置する第１の機器から送信された前記識別情報を、無線で受信可能な第１の受信手段と、前記第１の受信手段が受信した前記識別情報に基づいて、前記第１の機器が前記通信範囲内に位置するか否かを判定する第１の判定手段と、画像を出力する画像出力手段と、前記第１の判定手段による前記第１の機器が前記通信範囲内に位置するとの判定に基づいて、前記画像出力手段に画像を出力させる第１の出力制御手段と、を備える画像出力装置であって、機器を識別可能な識別情報を無線で送信可能な、通信範囲内に位置する第２の機器から送信された前記識別情報を、無線で受信可能な第２の受信手段と、第２の受信手段が受信した前記識別情報に基づいて、前記第２の機器が前記通信範囲内に位置するか否かを判定する第２の判定手段と、前記第２の判定手段による前記第２の機器が前記通信範囲内に位置するとの判定に基づいて、前記画像出力手段による画像の出力に制限を加える第１の制限制御手段と、を更に備えたことを特徴とする。したがって、この画像出力装置を用いれば、上記画像出力システムを構成することができ、上記画像出力システムについて述べた通りの作用・効果を奏することになる。
【００１４】
また、請求項２０に記載した検出装置は、機器を識別可能な識別情報を無線で送信可能な、通信範囲内に位置する第１の機器から送信された前記識別情報を、無線で受信可能な第１の受信手段と、前記第１の受信手段が受信した前記識別情報に基づいて、前記第１の機器が前記通信範囲内に位置するか否かを判定する第１の判定手段と、前記第１の判定手段による前記第１の機器が前記通信範囲内に位置するとの判定に基づいて、画像を出力する画像出力手段に画像を出力させる第１の出力制御手段と、を備える検出装置であって、機器を識別可能な識別情報を無線で送信可能な、通信範囲内に位置する第２の機器から送信された前記識別情報を、無線で受信可能な第２の受信手段と、第２の受信手段が受信した前記識別情報に基づいて、前記第２の機器が前記通信範囲内に位置するか否かを判定する第２の判定手段と、前記第２の判定手段による前記第２の機器が前記通信範囲内に位置するとの判定に基づいて、前記画像出力手段による画像の出力に制限を加える第１の制限制御手段と、を更に備えたことを特徴とする。したがって、この検出装置を画像出力装置に取り付ければ、所期の機能を備えた画像出力装置を構成することができ、上記画像出力システムを構成することができるので、上記画像出力システムについて述べた通りの作用・効果を奏することになる。
【００１５】
さらに、請求項２４に記載したプログラムは、画像を形成する画像出力装置に、機器を識別可能な識別情報を無線で送信可能な、通信範囲内に位置する第１の機器から送信された前記識別情報を、無線で受信する第１の受信処理と、前記第１の受信処理で受信した前記識別情報に基づいて、前記第１の機器が前記通信範囲内に位置するか否かを判定する第１の判定処理と、前記第１の判定処理による前記第１の機器が前記通信範囲内に位置するとの判定に基づいて、前記画像出力装置に画像を出力させる第１の出力制御処理と、を実行させるプログラムであって、機器を識別可能な識別情報を無線で送信可能な、通信範囲内に位置する第２の機器から送信された前記識別情報を、無線で受信する第２の受信処理と、第２の受信処理で受信した前記識別情報に基づいて、前記第２の機器が前記通信範囲内に位置するか否かを判定する第２の判定処理と、前記第２の判定処理による前記第２の機器が前記通信範囲内に位置するとの判定に基づいて、前記画像出力手段による画像の出力に制限を加える第１の制限制御処理と、を更に実行させることを特徴とする。したがって、このプログラムを画像出力装置にインストールすれば、所期の機能を備えた画像出力装置を構成することができ、上記画像出力システムを構成することができるので、上記画像出力システムについて述べた通りの作用・効果を奏することになる。
【００１６】
次に、請求項３記載の発明は、機器を識別可能な識別情報を無線で送信可能な第２の機器と、通信範囲内に位置する前記第２の機器から送信された前記識別情報を、無線で受信可能な第２の受信手段と、前記第２の受信手段が受信した前記識別情報に基づいて、前記第２の機器が前記通信範囲内に位置するか否かを判定する第２の判定手段と、外部機器からの画像出力指令に基づいて画像を出力する画像出力手段とを備える画像出力システムであって、前記画像出力手段によって前記画像出力指令に基づく画像を出力する際に、前記第２の判定手段によって前記第２の機器が前記通信範囲内に位置すると判定された場合は、前記画像出力手段による画像の出力に制限を加える第２の制限手段とを更に備えたことを特徴とする。
【００１７】
この画像出力システムによれば、外部機器からの画像出力指令があったとしても、第２の機器が第２の受信手段の通信範囲に位置するとき（すなわち、第２の受信手段において第２の機器の存在を認識できるとき）は、画像出力手段から出力される画像の出力に制限が加えられる。
【００１８】
そのため、第２の受信手段を画像出力手段の周囲に配置することにより、外部機器からの画像出力指令があったとしても、第２の機器が、画像出力手段の周囲に配置された第２の受信手段の通信範囲に位置するときは、画像出力手段による画像の出力が制限される。
【００１９】
従って、本発明の画像出力システムを用いて、画像出力手段から出力される画像を見られたくない人が所有する機器を、上記第２の機器として識別することにより、画像を見られたくない人が第２の受信手段の近くにいる場合には、画像出力手段からの画像出力に制限を加えて、画像を見られたくない人に画像が見られてしまうことを防止することが可能となる。
【００２０】
なお、請求項１７に記載した画像出力装置は、機器を識別可能な識別情報を無線で送信可能な、通信範囲内に位置する第２の機器から送信された前記識別情報を、無線で受信可能な第２の受信手段と、前記第２の受信手段が受信した前記識別情報に基づいて、前記第２の機器が前記通信範囲内に位置するか否かを判定する第２の判定手段と、外部機器からの画像出力指令に基づいて画像を出力する画像出力手段とを備える画像出力装置であって、前記画像出力手段によって前記画像出力指令に基づく画像を出力する際に、前記第２の判定手段によって前記第２の機器が前記通信範囲内に位置すると判定された場合は、前記画像出力手段による画像の出力に制限を加える第２の制限手段とを更に備えたことを特徴とする。したがって、この画像出力装置を用いれば、上記画像出力システムを構成することができ、上記画像出力システムについて述べた通りの作用・効果を奏することになる。
【００２１】
また、請求項２１に記載した検出装置は、機器を識別可能な識別情報を無線で送信可能な、通信範囲内に位置する第２の機器から送信された前記識別情報を、無線で受信可能な第２の受信手段と、前記第２の受信手段が受信した前記識別情報に基づいて、前記第２の機器が前記通信範囲内に位置するか否かを判定する第２の判定手段と、を備える検出装置であって、外部機器からの画像出力指令に基づいて画像を出力する画像出力手段によって前記画像出力指令に基づく画像を出力する際に、前記第２の判定手段によって前記第２の機器が前記通信範囲内に位置すると判定された場合は、前記画像出力手段による画像の出力に制限を加える第２の制限手段とを更に備えたことを特徴とする。したがって、この検出装置を画像出力装置に取り付ければ、所期の機能を備えた画像出力装置を構成することができ、上記画像出力システムについて述べた通りの作用・効果を奏することになる。
【００２２】
さらに、請求項２５に記載したプログラムは、外部機器からの画像出力指令に基づいて画像を出力する画像出力装置に、機器を識別可能な識別情報を無線で送信可能な、通信範囲内に位置する第２の機器から送信された前記識別情報を、無線で受信可能な第２の受信処理と、前記第２の受信処理で受信した前記識別情報に基づいて、前記第２の機器が前記通信範囲内に位置するか否かを判定する第２の判定処理と、を実行させるプログラムであって、前記画像出力装置によって前記画像出力指令に基づく画像を出力する際に、前記第２の判定処理によって前記第２の機器が前記通信範囲内に位置すると判定された場合は、前記画像出力装置による画像の出力に制限を加える第２の制限手段とを更に実行させることを特徴とする。したがって、このプログラムを画像出力装置にインストールすれば、所期の機能を備えた画像出力装置を構成することができ、上記画像出力システムについて述べた通りの作用・効果を奏することになる。
【００２３】
次に、請求項５に記載された発明のように、請求項１〜４のいずれかに記載の画像出力システムでは、前記制限は、前記第２の判定手段による前記第２の機器が前記通信範囲に位置しないとの判定に基づいて解除することが好ましい。この画像出力システムを用いると、画像出力手段による画像の出力に制限がかけられても、第２の機器が、第２の受信手段の通信範囲外に位置する場合に（すなわち画像出力装置の遠くに位置する場合に）、画像出力装置による画像の出力の制限が解除される。従って、この画像出力システムを用いると、画像出力手段が出力する画像を見られたくない人が、画像出力手段の近くにいることで、画像の出力が制限されても、その人が画像出力手段から遠ざかれば、再び画像を出力させることができる。
【００２４】
次に、請求項６記載の画像出力システムは、前記第２の機器が、前記第２の受信手段から遠ざかっているか否かを判定する第３の判定手段を更に備え、前記制限は、前記第３の判定手段による前記第２の機器が前記第２の受信手段から遠ざかっているとの判定に基づいて解除されることを特徴とする。この画像出力システムを用いると、第２の機器が、第２の受信手段の通信範囲内に位置する状況であっても、第２の機器が画像出力装置から遠ざかっている場合には、画像出力装置による画像の出力の制限が解除される。従って、この画像出力システムを用いると、画像出力手段が出力する画像を見られたくない人が、画像出力手段の近くにいることで、画像の出力が制限されても、その人が画像出力手段から遠ざかりつつあれば、再び画像を出力させることができる。
【００２５】
尚、第３の判定手段としては、請求項７記載の発明のように、通信範囲を拡縮可能な通信範囲切替手段と、通信範囲切替手段により通信範囲を拡縮して、各通信範囲で第２の機器との通信が可能な否かを判断し、第２の機器との通信が可能な通信範囲を確認する確認手段と、を備え、確認手段によって通信範囲を繰り返し確認した結果に基づいて、第２の機器が遠ざかっていると判定してもよい。
【００２６】
次に、請求項８記載の発明は、機器を識別可能な識別情報を無線で送信可能な第１の機器と、通信範囲内に位置する前記第１の機器から送信された前記識別情報を、無線で受信可能な第１の受信手段と、前記第１の受信手段が受信した前記識別情報に基づいて、前記第１の機器が前記通信範囲内に位置するか否かを判定する第１の判定手段と、画像を出力する画像出力手段と、前記第１の判定手段による前記第１の機器が前記通信範囲内に位置するとの判定に基づいて、前記画像出力手段に画像を出力させる第１の出力制御手段と、を備える画像出力システムであって、機器を識別可能な識別情報を無線で送信可能な第２の機器と、通信範囲内に位置する前記第２の機器から送信された前記識別情報を、無線で受信可能な第２の受信手段と、前記第２の機器が、前記第２の受信手段に近づいているか否かを判定する第４の判定手段と、前記第４の判定手段による前記第２の機器が前記第２の受信手段に近づいているとの判定に基づいて、前記画像出力手段による画像の出力に制限を加える第３の制限制御手段とを更に備えたことを特徴とする。
【００２７】
この画像出力システムによれば、第１の機器が第１の受信手段の通信範囲に位置するとき（すなわち、第１の受信手段において第１の機器の存在を認識できるとき）に限り、画像出力手段によって画像が出力されるが、第１の機器が第１の受信手段の通信範囲に位置するときであっても、第２の機器が第２の受信手段に近づいているときは、画像出力手段から出力される画像の出力に制限が加えられる。
【００２８】
そのため、第１の受信手段及び第２の受信手段を画像出力手段の周囲に配置することにより、第１の機器が、画像出力手段の周囲に配置された第１の受信手段の通信範囲に位置するときであっても、第２の機器が、第２の受信手段に近づいているときは、画像出力手段による画像の出力が制限される。
【００２９】
従って、本発明の画像出力システムを用いて、画像出力手段から出力される画像を見られたくない人が所有する機器を、上記第２の機器として識別することにより、画像を見られたくない人が第２の受信手段に近づいてくる場合には、画像出力手段からの画像出力に制限を加えて、画像を見られたくない人に画像が見られてしまうことを防止することが可能となる。
【００３０】
また、第２の受信手段が、第２の機器を認識したとしても、第２の機器が第２の受信手段に近づいて来なければ、画像出力手段からの画像出力に制限が加えられないので、画像の出力を無駄に制限することはない。
尚、第４の判定手段としては、請求項９記載の発明のように、通信範囲を拡縮可能な通信範囲切替手段と、通信範囲切替手段により通信範囲を拡縮して、各通信範囲で第２の機器との通信が可能な否かを判断し、第２の機器との通信が可能な通信範囲を確認する確認手段と、を備え、確認手段によって通信範囲を繰り返し確認した結果に基づいて、第２の機器が近づいていると判定してもよい。
【００３１】
なお、請求項１８に記載した画像出力装置は、機器を識別可能な識別情報を無線で送信可能な、通信範囲内に位置する第１の機器から送信された前記識別情報を、無線で受信可能な第１の受信手段と、前記第１の受信手段が受信した前記識別情報に基づいて、前記第１の機器が前記通信範囲内に位置するか否かを判定する第１の判定手段と、画像を出力する画像出力手段と、前記第１の判定手段による前記第１の機器が前記通信範囲内に位置するとの判定に基づいて、前記画像出力手段に画像を出力させる第１の出力制御手段と、を備える画像出力装置であって、機器を識別可能な識別情報を無線で送信可能な、通信範囲内に位置する第２の機器から送信された前記識別情報を、無線で受信可能な第２の受信手段と、前記第２の機器が、前記第２の受信手段に近づいているか否かを判定する第４の判定手段と、前記第４の判定手段による前記第２の機器が前記第２の受信手段に近づいているとの判定に基づいて、前記画像出力手段による画像の出力に制限を加える第３の制限制御手段とを更に備えたことを特徴とする。したがって、この画像出力装置を用いれば、上記画像出力システムを構成することができ、上記画像出力システムについて述べた通りの作用・効果を奏することになる。
【００３２】
また、請求項２２記載した検出装置は、機器を識別可能な識別情報を無線で送信可能な、通信範囲内に位置する第１の機器から送信された前記識別情報を、無線で受信可能な第１の受信手段と、前記第１の受信手段が受信した前記識別情報に基づいて、前記第１の機器が前記通信範囲内に位置するか否かを判定する第１の判定手段と、前記第１の判定手段による前記第１の機器が前記通信範囲内に位置するとの判定に基づいて、画像を出力する画像出力手段に画像を出力させる第１の出力制御手段と、を備える検出装置であって、機器を識別可能な識別情報を無線で送信可能な、通信範囲内に位置する第２の機器から送信された前記識別情報を、無線で受信可能な第２の受信手段と、前記第２の機器が、前記第２の受信手段に近づいているか否かを判定する第４の判定手段と、前記第４の判定手段による前記第２の機器が前記第２の受信手段に近づいているとの判定に基づいて、前記画像出力手段による画像の出力に制限を加える第３の制限制御手段とを更に備えたことを特徴とする。したがって、この検出装置を画像出力装置に取り付ければ、所期の機能を備えた画像出力装置を構成することができ、上記画像出力システムについて述べた通りの作用・効果を奏することになる。
【００３３】
さらに、請求項２６に記載したプログラムは、画像を出力する画像出力装置に、機器を識別可能な識別情報を無線で送信可能な、通信範囲内に位置する第１の機器から送信された前記識別情報を、無線で受信する第１の受信処理と、前記第１の受信処理が受信した前記識別情報に基づいて、前記第１の機器が前記通信範囲内に位置するか否かを判定する第１の判定処理と、前記第１の判定処理による前記第１の機器が前記通信範囲内に位置するとの判定に基づいて、前記画像出力装置に画像を出力させる第１の出力制御処理と、を実行させるプログラムであって、機器を識別可能な識別情報を無線で送信可能な、通信範囲内に位置する第２の機器から送信された前記識別情報を、無線で受信可能な第２の受信処理と、前記第２の機器が、前記第２の受信手段に近づいているか否かを判定する第４の判定処理と、前記第４の判定処理による前記第２の機器が前記第２の受信手段に近づいているとの判定に基づいて、前記画像出力装置による画像の出力に制限を加える第３の制限制御処理とを更に実行させることを特徴とする。プログラムを画像出力装置にインストールすれば、所期の機能を備えた画像出力装置を構成することができ、上記画像出力システムについて述べた通りの作用・効果を奏することになる。
【００３４】
次に、請求項１０記載の発明は、機器を識別可能な識別情報を無線で送信可能な第１の機器と、機器を識別可能な識別情報を無線で送信可能な第２の機器と、通信範囲内に位置する前記第１の機器から送信された前記識別情報を、無線で受信可能な第１の受信手段と、通信範囲内に位置する前記第２の機器から送信された前記識別情報を、無線で受信可能な第２の受信手段と、前記識別情報が関連付けられている画像を受信する第３の受信手段と、前記第１の受信手段が受信した前記識別情報に基づいて、前記第１の機器が前記通信範囲内に位置するか否かを判定する第１の判定手段と、前記第２の受信手段が受信した前記識別情報に基づいて、前記第２の機器が前記通信範囲内に位置するか否かを判定する第２の判定手段と、画像を出力する画像出力手段と、前記第１の判定手段による前記第１の機器が前記通信範囲に位置するとの判定に基づいて、前記第３の受信手段によって受信した、前記第１の機器を識別する識別情報が関連付けられている画像を、前記画像出力手段に出力させる第２の出力制御手段と、前記第２の判定手段による前記第２の機器が前記通信範囲に位置するとの判定に基づいて、前記第３の受信手段によって受信した、前記第２の機器を識別する識別情報が関連付けられている画像を、前記画像出力手段に出力させる第３の出力制御手段と、を備える画像出力システムであって、前記第３の受信手段による、前記第２の機器を識別する識別情報が関連付けられている画像の受信に基づいて、前記画像出力手段及び前記第２の出力制御手段による画像の出力に制限を加える第４の制限制御手段とをさらに備えたことを特徴とする。
【００３５】
この画像出力システムによれば、第１の機器が第１の受信手段の通信範囲内に位置しているとき、第３の受信手段によって受信された、第１の機器を識別する識別情報が関連付けられた画像が出力され、同様に、第２の機器が第２の受信手段の通信範囲内に位置しているとき、第３の受信手段によって受信された第２の機器を識別する識別情報が関連付けられた画像が出力される。つまり、第３の受信手段によって受信された識別情報が関連付けられた画像を見るために、第１または第２の機器を所持した人が、画像出力手段の周囲に配置された第１または第２の受信手段の近傍に来ると、第１または第２の受信手段によって第１または第２の機器が通信範囲内にいると判定され、それぞれの機器に対応した画像が出力されることとなる。
【００３６】
このような画像出力システムにおいては、第３の受信手段によって第２の機器を識別する識別情報が関連付けられた画像を受信された場合、第２の機器を所持した人がその画像を見るために画像出力手段の近傍に来ることが想定されるため、その際は、本画像出力システムのように、画像出力手段及び第２の出力制御手段による画像の出力に制限を加えることが望ましい。これにより、第１の機器を識別する識別情報が関連付けられた画像を、第２の機器を所持する人に見られてしまうことを事前に防止できる。
【００３７】
なお、請求項１９に記載した画像出力装置は、機器を識別可能な識別情報を無線で送信可能な、通信範囲内に位置する第１の機器から送信された前記識別情報を、無線で受信可能な第１の受信手段と、機器を識別可能な識別情報を無線で送信可能な、通信範囲内に位置する第２の機器から送信された前記識別情報を、無線で受信可能な第２の受信手段と、前記識別情報が関連付けられている画像を受信する第３の受信手段と、前記第１の受信手段が受信した前記識別情報に基づいて、前記第１の機器が前記通信範囲内に位置するか否かを判定する第１の判定手段と、前記第２の受信手段が受信した前記識別情報に基づいて、前記第２の機器が前記通信範囲内に位置するか否かを判定する第２の判定手段と、画像を出力する画像出力手段と、前記第１の判定手段による前記第１の機器が前記通信範囲に位置するとの判定に基づいて、前記第３の受信手段によって受信した、前記第１の機器を識別する識別情報が関連付けられている画像を、前記画像出力手段に出力させる第２の出力制御手段と、前記第２の判定手段による前記第２の機器が前記通信範囲に位置するとの判定に基づいて、前記第３の受信手段によって受信した、前記第２の機器を識別する識別情報が関連付けられている画像を、前記画像出力手段に出力させる第３の出力制御手段と、を備える画像出力装置であって、前記第３の受信手段による、前記第２の機器を識別する識別情報が関連付けられている画像の受信に基づいて、前記画像出力手段及び前記第２の出力制御手段による画像の出力に制限を加える第４の制限制御手段とをさらに備えたことを特徴とする。したがって、この画像出力装置を用いれば、上記画像出力システムを構成することができ、上記画像出力システムについて述べた通りの作用・効果を奏することになる。
【００３８】
また、請求項２３に記載した検出装置は、機器を識別可能な識別情報を無線で送信可能な、通信範囲内に位置する第１の機器から送信された前記識別情報を、無線で受信可能な第１の受信手段と、機器を識別可能な識別情報を無線で送信可能な、通信範囲内に位置する第２の機器から送信された前記識別情報を、無線で受信可能な第２の受信手段と、前記識別情報が関連付けられている画像を受信する第３の受信手段と、前記第１の受信手段が受信した前記識別情報に基づいて、前記第１の機器が前記通信範囲内に位置するか否かを判定する第１の判定手段と、前記第２の受信手段が受信した前記識別情報に基づいて、前記第２の機器が前記通信範囲内に位置するか否かを判定する第２の判定手段と、前記第１の判定手段による前記第１の機器が前記通信範囲に位置するとの判定に基づいて、前記第３の受信手段によって受信した、前記第１の機器を識別する識別情報が関連付けられている画像を、画像を出力する画像出力手段に出力させる第２の出力制御手段と、前記第２の判定手段による前記第２の機器が前記通信範囲に位置するとの判定に基づいて、前記第３の受信手段によって受信した、前記第２の機器を識別する識別情報が関連付けられている画像を、前記画像出力手段に出力させる第３の出力制御手段と、を備える検出装置であって、前記第３の受信手段による、前記第２の機器を識別する識別情報が関連付けられている画像の受信に基づいて、前記画像出力手段及び前記第２の出力制御手段による画像の出力に制限を加える第４の制限制御手段とをさらに備えたことを特徴とする。したがって、この検出装置を画像出力装置に取り付ければ、所期の機能を備えた画像出力装置を構成することができ、上記画像出力システムについて述べた通りの作用・効果を奏することになる。
【００３９】
さらに、請求項２７に記載したプログラムは、画像を出力する画像出力装置に、機器を識別可能な識別情報を無線で送信可能な、通信範囲内に位置する第１の機器から送信された前記識別情報を、無線で受信する第１の受信処理と、機器を識別可能な識別情報を無線で送信可能な、通信範囲内に位置する第２の機器から送信された前記識別情報を、無線で受信する第２の受信処理と、前記識別情報が関連付けられている画像を受信する第３の受信処理と、前記第１の受信処理で受信した前記識別情報に基づいて、前記第１の機器が前記通信範囲内に位置するか否かを判定する第１の判定処理と、前記第２の受信処理で受信した前記識別情報に基づいて、前記第２の機器が前記通信範囲内に位置するか否かを判定する第２の判定処理と、前記第１の判定処理による前記第１の機器が前記通信範囲に位置するとの判定に基づいて、前記第３の受信処理で受信した、前記第１の機器を識別する識別情報が関連付けられている画像を、前記画像出力装置に出力させる第２の出力制御処理と、前記第２の判定処理で前記第２の機器が前記通信範囲に位置するとの判定に基づいて、前記第３の受信処理で受信した、前記第２の機器を識別する識別情報が関連付けられている画像を、前記画像出力装置に出力させる第３の出力制御処理と、を実行させるプログラムであって、前記第３の受信処理による、前記第２の機器を識別する識別情報が関連付けられている画像の受信に基づいて、前記画像出力処理及び前記第２の出力制御処理による画像の出力に制限を加える第４の制限制御処理とをさらに実行させることを特徴とするプログラム。したがって、このプログラムを画像出力装置にインストールすれば、所期の機能を備えた画像出力装置を構成することができ、上記画像出力システムについて述べた通りの作用・効果を奏することになる。
【００４０】
次に、請求項１２記載の発明は、請求項１〜１１のいずれかに記載の画像出力システムにおいて、前記識別情報に基づいて、前記第２の機器が予め定められた条件を満たす機器であるか否かを判定する第５の判定手段を更に備え、前記制限制御手段は、前記第５の判定手段によって、前記第２の機器が予め定められた条件を満たす機器であると判定された場合は、前記制限を加えないことを特徴とする。
【００４１】
この請求項１２記載の画像形成システムは、第２の機器が予め定められた条件を満たす機器である場合は、制限が加えられない。従って、本発明の画像出力システムを用いると、予め定められた条件、例えば、年齢や、性別、社内的な階級（部長、課長、係長等）等によって、制限したり、制限を加え無かったりすることができる。
【００４２】
次に、請求項２、４、１１に記載の発明は、前記制限に関する通知情報を前記第１の機器または第２の機器に無線で送信する通知手段と、前記通知手段から送信された通知情報の受信に基づき、前記制限に関する報知を実行する第１の機器または第２の機器に設けられた報知手段とを更に備えたことを特徴とする。
【００４３】
この請求項２、４、１１に記載の発明の画像形成システムでは、画像出力装置での画像の出力に制限が加えられたとき、第１の機器または第２の機器に通知情報が送信され、それらの機器に設けられた報知手段が作動する。
従って、この画像形成システムを用いると、第１の機器を所有している人は、画像出力装置に画像を出力させると画像が他人に見られるか否かを知ることができる。また、第２の機器を所有している人は、自分に見られたくない画像を画像出力装置に出力させたい人がいることを知ることができる。
【００４４】
次に、請求項１３記載の発明は、請求項１〜１２のいずれかに記載の画像出力システムにおいて、前記制限に対する制限解除指令を送信する制限解除手段を更に備え、前記制限制御手段は、前記制限解除手段から送信された制限解除指令に基づき、前記制限を解除することを特徴とする。
【００４５】
この請求項１３記載の画像形成システムでは、画像出力装置での画像の出力に制限が加えられたとき、制限解除手段から制限解除指令が送信されると、制限を解除する。
従って、この請求項１３記載の画像形成システムを用いると、通常は画像が見られては困る人であっても、画像を見られてもよい場合や、急いで画像を出力したい場合、画像出力手段に画像を出力することができる。
【００４６】
尚、請求項１４に記載された画像形成システムのように、識別情報を通信する通信規格は、無線ＬＡＮ規格であることが好ましい。特に、請求項１５に記載された画像出力システムのように、無線ＬＡＮ規格は、Ｂｌｕｅｔｏｏｔｈ（商標；以下同様）規格であることが好ましい。このＢｌｕｅｔｏｏｔｈ規格に基づいて識別情報を送信するようにすれば、無線通信にかかる構成が小型かつ軽量となり、機器全体をコンパクトにすることができ、より多くの人に第１の機器または第２の機器を所有させる（携帯させる）ことが可能となる。
【００４７】
加えて、請求項２８記載の記録媒体を用いれば、請求項２４〜２７のいずれかに記載のプログラムを画像形成装置にインストールすることができる。
【００４８】
【発明の実施の形態】
以下、本発明が適用された実施形態について説明する。尚、以下の説明では、プリンタを使用する使用者全員が、Ｂｌｕｅｔｏｏｔｈ規格の通信装置を備えた携帯電話を携帯している例を用いて説明する。
【００４９】
ここで、図１はプリンタのブロック図、図２は携帯電話のブロック図、図３は携帯電話の外観図である。
プリンタ１は、図１に示すように、ＣＰＵ１２、ＲＡＭ１４（バッテリーバックアップ機能付き）、ＲＯＭ１６を備えた中央制御装置１０と、印刷用紙上にトナーからなる現像剤画像を形成する画像出力装置２０と、後述する出力処理に従って画像出力装置２０を制御し、印刷用紙上に画像を形成させる画像出力装置制御回路２２とを備えている。また、このプリンタ１は、カード型の通信装置を接続するためのカードスロット２４と、社内ＬＡＮαにこのプリンタ１を接続するためのＬＡＮボード２６とを備えている。そして、中央制御装置１０が、画像出力装置制御回路２２と、カードスロット２４と、ＬＡＮボード２６とがバス２８を介して接続されている。そして、このプリンタ１には、カード型の通信装置３が、カードスロット２４を介して接続されている。この通信装置３は、Ｂｌｕｅｔｏｏｔｈ規格の通信装置であり、その通信範囲（ピコネット形成範囲）の大きさを多段階に変更する機能を備えている。
【００５０】
携帯電話５は、図２に示すように、ＣＰＵ５２、ＲＡＭ５４、ＲＯＭ５６を備えた中央制御装置５０と、液晶モニター６０（図３参照）と、この液晶モニター６０を制御する液晶モニター制御回路６２と、スピーカ６４（図３参照）と、このスピーカ６４を制御するスピーカ制御回路６６とを備えている。また、この携帯電話５は、Ｂｌｕｅｔｏｏｔｈ規格の通信装置６８と、通信基地局と無線電話通信を行う電話装置７０と、操作ボタン７２（図３参照）と、操作ボタン７２のＯＮ−ＯＦＦ信号を中央制御装置５０に送信する操作ボタン制御回路７４とを備えている。そして、この中央制御装置５０が、液晶モニター制御回路６２、スピーカ制御回路６６、通信装置６８、電話装置７０、および操作ボタン制御回路７４と、バス８０を介して接続されている。
【００５１】
次に、プリンタ１のＲＡＭ１４に記憶されたセキュリティデータベース（以下セキュリティＤＢという）について説明する。
ここで、図４（ａ）は、このＲＡＭ１４に記憶されたセキュリティＤＢの詳細を示す説明図である。
【００５２】
このセキュリティＤＢは、後述する出力処理で使用されるデータベースであって、プリンタ１を使用するユーザーのユーザー名及びユーザーＩＤと、各ユーザーが携帯する携帯電話５に備えられた通信装置６８に割り当てられたＢｌｕｅｔｏｏｔｈアドレス（ＢＤ＿ＡＤＤＲ）と、各ユーザーのセキュリティレベル（以下、セキュリティＬｖとも表記する）とが関連付けられて記憶されている。尚、セキュリティＬｖは、「Ａ」が最も高く、以下アルファベット順に低くなるよう設定されている。
【００５３】
次に、プリンタ１のＲＡＭ１４に一時的に記憶される印刷ジョブデータについて説明する。
ここで、図４（ｂ）は、このＲＡＭ１４に一時的に記憶される印刷ジョブデータを示す説明図である。
【００５４】
この印刷ジョブデータは、後述する出力処理で作成されるデータであって、プリンタ１を使用するユーザーのユーザーＩＤと、各ユーザーのセキュリティＬｖと、ジョブデータ長と、ジョブデータとが関連付けられて記憶される。
次に、プリンタ１の中央制御装置１０で実行される出力処理について説明する。
【００５５】
ここで、図５は、出力処理のフローチャートである。
この処理は、プリンタ１の図示しない電源スイッチがＯＮされると開始される。
この出力処理では、電源スイッチがＯＮされると、待機処理が実行される（Ｓ３０）。そして、社内ＬＡＮα（図１参照）を介して外部からプリンタ１に印刷ジョブが投入されたか否かが判定される（Ｓ３１）。この判定で否定判定されれば、待機処理（Ｓ３０）が繰り返し実施され、プリンタ１は待機状態になる。なお、社内ＬＡＮαを介して投入された印刷ジョブは、本実施形態では、図４（ｂ）に示すように、ジョブデータに一般的に関連付けられているジョブデータ長の他に、ユーザーＩＤなどが関連付けられたもので、ＬＡＮボード２６を介してＲＡＭ１４に一次保存される。
【００５６】
次に、Ｓ３１の判定で、プリンタ１に印刷ジョブが投入されたと判定されたら（Ｓ３１：ＹＥＳ）、携帯電話５が通信装置３の通信範囲内に位置する（ピコネット内に存在する）かどうかを検出する処理が実行される（Ｓ３２）。尚、以下Ｓ３１でプリンタ１に投入された印刷ジョブに関連付けられたユーザーＩＤの所有者を以下オーナーと呼ぶ。
【００５７】
次に、Ｓ３２で検出された携帯電話５の中に、オーナーのユーザーＩＤと一致するユーザーＩＤの携帯電話５が存在するか否かが判定される（Ｓ３３）。この判定は、プリンタ１が携帯電話５からＢＤ＿ＡＤＤＲを受信し、ＲＡＭ１４に記憶されたセキュリティＤＢ（図４（ａ）参照）を参照して、受信したＢＤ＿ＡＤＤＲに一致するユーザーＩＤが、印刷ジョブに関連付けられたユーザーＩＤと一致するか否かが判定される。そして、この判定で否定判定されたら（Ｓ３３：ＮＯ）、オーナーが所有する携帯電話５が通信装置３の通信範囲内に位置する（ピコネット内に存在する）と判定されるまで（Ｓ３３：ＹＥＳ）、繰り返しＳ３２〜Ｓ３３の処理が実施される。
【００５８】
次に、オーナーの携帯電話５が、通信装置３の通信範囲内に位置する（ピコネット内に存在する）と判定されたら（Ｓ３３：ＹＥＳ）、オーナー以外のユーザー（以下「カスタマー」という）の携帯電話５が、通信装置３の通信範囲内に位置する（ピコネット内に存在する）か否かが判定される（Ｓ３４）。この判定（Ｓ３４）で、カスタマーの携帯電話５が検出されなかった場合は（Ｓ３４：ＮＯ）、ＲＡＭ１４に一次保存されていたオーナーのユーザーＩＤに対応した印刷ジョブに基づいて、画像出力装置２０で印刷が実行される（Ｓ５０）。
【００５９】
一方、Ｓ３４の判定で、カスタマーの携帯電話５が検出された場合は（Ｓ３４：ＹＥＳ）、その検出された携帯電話５のセキュリティＬｖを検出する処理が実行される（Ｓ３５）。この処理（Ｓ３５）では、カスタマーの携帯電話５から受信したＢＤ＿ＡＤＤＲから、ＲＡＭ１４に記憶されたセキュリティＤＢを参照し、セキュリティ情報であるセキュリティＬｖを検出する処理が実行される。
【００６０】
次に、Ｓ３５で検出されたセキュリティ情報のうち、オーナーの印刷ジョブのセキュリティ設定に合致しない情報が存在するか判定する（Ｓ３６）。すなわち、この判定では（Ｓ３６）、投入されたオーナーの印刷ジョブのセキュリティＬｖが、カスタマーのセキュリティＬｖと同じあるいは高いものかが判定される。具体的には、このＳ３６では、図４（ａ）に示すように、オーナーがＣ係長であった場合、カスタマーがＤさんや、Ｅさんであった場合は、オーナーのセキュリティＬｖ「Ｃ」より、カスタマーのセキュリティＬｖ「Ｄ」のほうが低いので、Ｓ３６では、セキュリティ設定に合致しないと判定され（Ｓ３６：ＹＥＳ）、一方、カスタマーがＡ部長であった場合、カスタマーのほうがセキュリティＬｖが高い（この場合「Ａ」）ので、セキュリティ情報に合致すると判定される（Ｓ３６：ＮＯ）。
【００６１】
次に、この判定（Ｓ３６）で、カスタマーのセキュリティＬｖが合致する（Ｓ３６：ＮＯ）と判定された場合は、さらに、オーナー以外のユーザーの印刷ジョブが、社内ＬＡＮαを介してプリンタ１に投入されたか、あるいは、ＲＡＭ１４に保存されているか否かが判定され（Ｓ３７）、そして、この判定（Ｓ３７）で否定判定されると（Ｓ３７：ＮＯ）、一時保存していたオーナーの印刷ジョブが実行される（Ｓ５０）。一方、この判定（Ｓ３７）で肯定判定されると（Ｓ３７：ＹＥＳ）、オーナーの携帯電話５に、他のユーザーの印刷ジョブが存在することを通知する処理が実行される（Ｓ３８）。具体的には、オーナーがＣ係長であった場合、その部下であるＤさんやＥさんのパソコン等からプリンタ１に印刷ジョブの投入があり、Ｃ係長がプリンタ１に印刷させようとしている印刷物が、社内的な立場上、ＤさんやＥさんに見られては困る場合は、Ｃ係長の携帯電話５に、ＤさんあるいはＥさんの印刷ジョブがあるので、ＤさんあるいはＥさんがプリンタ１に近づいてきて、その印刷物がＤさんやＥさんに見られる可能性があることが通知されるのである。
【００６２】
次に、Ｓ３６の判定で、Ｓ３５で検出されたセキュリティ情報のうち、オーナーの印刷ジョブのセキュリティ設定に合致しない情報が存在すると判定された場合は（Ｓ３６：ＹＥＳ）、後述する移動検知処理が実行される（Ｓ３９）。この処理（Ｓ３９）では、Ｓ３２で検出されたカスタマーの携帯電話５が通信装置３の通信範囲内でプリンタ１に接近しているか、あるいはプリンタ１から遠ざかっているかを検知する処理が実行される。
【００６３】
そして、移動検知処理（Ｓ３９）の結果に基づいて、カスタマーの携帯電話５がプリンタに接近しているか否かが判定される（Ｓ４０）。この判定（Ｓ４０）で、カスタマーの携帯電話５がプリンタ１から遠ざかっている、あるいは、近づく方向に移動しつつあるかもしれないが、その移動距離が短くほとんど移動していない、いわゆるさまよっている状態と判定された場合は（Ｓ４０：ＮＯ）、ＲＡＭ１４に一時保存されていたオーナーの印刷ジョブが実行される（Ｓ５０）。一方、この判定で、カスタマーの携帯電話５がプリンタ１に接近していると判定された場合（Ｓ４０：ＹＥＳ）、セキュリティ設定に合致しないカスタマーが、プリンタ１に接近していることを通知する情報が、オーナーの携帯電話５に送信される。具体的には、オーナーがＣ係長であった場合、その部下であるＤさんやＥさんがカスタマーであり、Ｃ係長がプリンタ１に印刷させようとしている印刷物が、社内的な立場上、ＤさんやＥさんに見られては困る場合は、Ｃ係長の携帯電話５に、ＤさんあるいはＥさんがプリンタ１に近づいてきていて、その印刷物がＤさんやＥさんに見られる可能性があることが通知されるのである。
【００６４】
ここで、Ｓ３８あるいはＳ４１の処理が実行されると、オーナーの携帯電話５では、図３に示すような通知情報に基づく表示がなされる。具体的には、「１．出力を待機する」、「２．出力する」、「３．ジョブを削除する」の操作コマンドが表示される。すると、オーナーの携帯電話５では、これらのいずれかの操作コマンドが指示され、通信装置３を介してプリンタ１側に送信されてくるので、その受信した操作コマンドが上記３つのうちいずれの操作コマンドかが判定される（Ｓ４２）。
【００６５】
そして、この判定（Ｓ４２）で、「２．出力する」の操作コマンドを受信したと判定されたら、具体的には、Ｃ係長が印刷させようとしている印刷物が、Ｄさん、Ｅさんに見られてもよいと判断した場合は、ＲＡＭ１４にＳ３１で一時保存していたオーナーの印刷ジョブが実行される（Ｓ５０）。また、「３．ジョブを削除する」の操作コマンドを受信したと判定されたら、具体的には、Ｃ係長が印刷させようとしている印刷物は、Ｄさん、Ｅさんに見られては困り、後で印刷しようと判断するなどした場合は、ＲＡＭ１４で一時保存していたオーナーの印刷ジョブを削除する処理が実行され（Ｓ４３）、再びＳ３０からの処理が実行される。また、「１．出力を待機する」の操作コマンドを受信したと判定されたら、具体的には、Ｃ係長が印刷させようとしている印刷物は、Ｄさん、Ｅさんが、プリンタ１の近くにいなくなって、印刷物が見られる恐れがなくなるまで、待機すると判断した場合は、再びＳ３２からの処理が実行され、Ｓ３４あるいはＳ４０で否定判定されるまで、待機するのである。
【００６６】
次に、プリンタ１の中央制御装置１０で実行される移動検知処理（Ｓ３９）について説明する。
ここで、図６は、移動検知処理のフローチャートである。
この移動検知処理が開始されると、まず以下の処理で使用される４つのカウンタ（検知レベルカウンタ、前回レベルカウンタ、処理カウンタ、接近レベルカウンタ）が初期化される（Ｓ１）。これらのカウンタはＲＡＭ１４に記憶されるとともに、以下の処理を行う際、適宜書き換えられる。このうち、検知レベルカウンタは、通信装置３の通信範囲の大きさを示すカウンタで、最大の通信範囲の１０（例えば半径１０ｍ）から最小の通信範囲の１（例えば半径１ｍ）で表され、ここでは最大の通信範囲１０に初期化される。その他のカウンタはすべて０に初期化される。
【００６７】
次に、中央制御装置１０は、設定されている検知レベルカウンタでカスタマーの携帯電話５と通信可能か否かが判定される（Ｓ２）。この判定（Ｓ２）では、この移動検知処理が開始されたときは、検出レベルカウンタが１０に設定されているので、通信装置３に最大の通信範囲でカスタマーの携帯電話５と通信可能か否かが判定される。そして、この判定で肯定判定されたら（Ｓ２：ＹＥＳ）、通信装置３の電波強度が１／１０下げられ、すなわち通信範囲が１段階小さくされ（Ｓ３）、検出レベルカウンタがデクリメントされ（Ｓ４）、再びＳ２の判定が行われる。そして、再び、この判定（Ｓ２）で肯定判定されたら（Ｓ２：ＹＥＳ）、通信装置３の電波強度がさらに１／１０下げられ、このようにして、カスタマーの携帯電話５と通信が可能な最大の通信範囲が探られる。
【００６８】
そして、通信装置３の通信範囲が狭められ、通信装置３がカスタマーの携帯電話５と通信不能であると判定されたら（Ｓ２：ＮＯ）、次に、その不能と判定された際の検知レベルカウンタが最大の１０か否かが判定される（Ｓ５）。
そして、この判定で肯定判定されたら（Ｓ５：ＹＥＳ）、通信装置３の最大の通信範囲の外にカスタマーの携帯電話５が位置するので、「通信範囲内にいない」とのステータスをＲＡＭ１４に記憶し（Ｓ６）、本処理を終了する。
【００６９】
次に、この判定（Ｓ５）で否定判定されたら（Ｓ５：ＮＯ）、処理カウンタが０か否かが判定される（Ｓ７）。この移動検知処理がスタートした直後には、この処理カウンタは０に設定されているので、ここでは肯定判定され（Ｓ７：ＹＥＳ）、処理カウンタがインクリメント（具体的には「１」に設定）される（Ｓ１５）。そして、Ｓ４でデクリメントされた検知レベル（具体例として「８」を挙げておく）が、前回レベルとして設定され（Ｓ１６）、通信装置３の電波強度が最大に設定され（Ｓ１７）、検出レベルが再び１０に設定され（Ｓ１８）、１秒間ウエイトされる（Ｓ１９）。そして、再び、Ｓ２からの処理が実施され、上述したように、いずれの検知レベルカウンタでカスタマーの携帯電話５と通信可能か否かが判定される（Ｓ２〜Ｓ４）。
【００７０】
次に、再びＳ７で処理カウンタが０か否かが判定される。このとき、先に処理カウンタが１に設定されているので否定判定される（Ｓ７：ＮＯ）。
次に、Ｓ１６で設定された前回レベルカウンタから、２回目のＳ２の判定で設定された検知レベルカウンタを引く処理が実行され、この引いた値がレベルが接近レベルカウンタに加算される（Ｓ８）。
【００７１】
次に、接近レベルカウンタがプラスの５より大きいか否かを判定する（Ｓ９）。この判定で（Ｓ９）、５より大きいと判定されたら（Ｓ９：ＹＥＳ）、例えば、前回レベルカウンタが８で、検知レベルカウンタが２のとき、すなわち、Ｓ１９で１秒間ウエイトしているので、１秒間の間に５ｍ以上プリンタ１に接近した場合、あるいは、前回レベルカウンタが８で、検知レベルカウンタが５で接近レベルが３と設定された後、前回レベルカウンタが５で、検知レベルカウンタが２で接近レベルカウンタが計６と判定されたとき、すなわち、２秒間に５ｍ以上プリンタ１に接近した場合、カスタマーがプリンタ１に接近していると判断し、接近しているとのステータスをＲＡＭ１４に記憶して（Ｓ１０）、本処理を終了する。一方、５以下の場合は接近はしていないものとして否定判定する（Ｓ９：ＮＯ）。
【００７２】
次に、Ｓ９で否定判定されたら、接近レベルカウンタがマイナス５より小さいか否かを判定する（Ｓ１１）。この判定で（Ｓ１１）、−５より小さいと判定されたら（Ｓ１１：ＹＥＳ）、具体的には、前回レベルカウンタが２で、検知レベルカウンタが８等のとき、遠ざかっているものとし、離脱しているとのステータスをＲＡＭ１４に記憶する（Ｓ１２）。一方、−５以上の場合は遠ざかってはいないものとして否定判定する（Ｓ１１：ＮＯ）。
【００７３】
次に、Ｓ１１で否定判定されたら、処理カウンタが５か否かを判定する。すなわち本処理を開始してから５秒間経過したか否かを判定する（Ｓ１３）。その判定（Ｓ１３）の結果、接近レベルが＋５より大きく、あるいは−５より小さくならない場合は、遠ざかっているあるいは近づく方向に移動しつつあるかもしれないが、その移動距離が短くほとんど移動していない、いわゆるさまよっている状態と判定し（Ｓ１３：ＹＥＳ）、移動していないとのステータスをＲＡＭ１４に記憶して（Ｓ１４）本処理を終了する。一方、処理カウンタが５に達していないと判定されたら、再びＳ１５以下の処理を実行し、処理カウンタが５になるまで本処理が実行される。
【００７４】
尚、上述した図５のＳ４０では、この移動検知処理で設定された各ステータスに基づいて、カスタマーがプリンタ１に近づいているか否かが判定される。
以上説明した画像出力システムを用いると以下のような効果がある。
まず、この画像出力システムを用いると、オーナーがプリンタ１の近くにいても（Ｓ３３：ＹＥＳ）、カスタマーがプリンタ１の近くにいれば（Ｓ３４：ＹＥＳ）、プリンタ１での印刷が制限（Ｓ４２で印刷ジョブの待機あるいは削除）される。従って、本実施形態の画像出力システムを用いると、オーナー（具体的にはＣ係長）がプリンタ１の近くにいても（ピコネット内に存在する）、プリンタ１で印刷する印刷物を見られたくないカスタマー（具体的にはＤさん、Ｅさん）がプリンタ１の近くにいる（Ｓ３４：ＹＥＳ）、あるいは接近していれば（Ｓ４０：ＹＥＳ）、プリンタ１での印刷物の出力が制限されるので、オーナーはカスタマーに自分の印刷物を見られることを有効に防止することができる。
【００７５】
また、この画像出力システムを用いると、プリンタ１が出力する印刷物を見られたくないカスタマーが、プリンタ１の近くにいるため、印刷物の出力が制限されても、その人がプリンタ１から遠ざかれば（Ｓ１１：ＹＥＳ、Ｓ３８：ＮＯ）、再び印刷物を出力させることができる（Ｓ５０）ので、無駄に制限をかけることを防止することができる。
【００７６】
また、本実施形態の画像形成システムでは、カスタマーのセキュリティＬｖがオーナーのセキュリティＬｖよりも高い場合、制限が加えられない（Ｓ３６：ＮＯ）ので、無駄な制限を加えることを防止することができる。そして、このようにすれば、カスタマーがプリンタ１の近傍に複数位置していた場合でも、セキュリティＬｖの低いものさえ、プリンタ１から遠ざかれば、オーナーの印刷物をプリントすることができる。
【００７７】
また、本実施形態の画像形成システムでは、プリンタ１での印刷物の出力に制限が加えられたとき、オーナーの携帯電話５に通知情報が送信され（Ｓ３８、Ｓ４１）、それらの携帯電話５にその通知情報に基づく表示がなされる。従って、この画像形成システムを用いると、オーナーは、プリンタ１に印刷物を出力させると印刷物が他人に見られるか否かを手元で知ることができる。尚、オーナーの印刷ジョブに制限が加えられていることを、カスタマーの携帯電話５に通知してもよい。このようにすればカスタマーは、自分に見られたくない印刷物を出力させたい人がいることを、カスタマーは手元で知ることができ、カスタマーにプリンター１から遠ざかるよう促すことができるので、本実施形態の画像出力システムを導入すれば、画像を秘密性を高めることができる一方でプリンター１の効率的な運用を図ることができる。
【００７８】
また、本実施形態では、プリンタ１での印刷出力に制限が加えられたとき、その制限を解除するオーナーの携帯電話５から制限を解除するよう指令するコマンドを送信することによって、制限を解除できるので（Ｓ４１：出力）、オーナーは、印刷物が、見られてもよいものである場合は、適宜プリンタ１に印刷物を出力することができる。このようにすれば無駄な制限を加えることを防止することができる
次に、本実施形態と本発明との対応関係について説明する。
【００７９】
本実施形態の「オーナーの携帯電話５」が、本発明の第１の機器に相当する。
本実施形態のＳ３２で検出された「カスタマーの携帯電話５」が、本発明の第２の機器に相当する。
本実施形態の通信装置３、及び、Ｓ３２で「オーナーの携帯電話５」のＢＤ＿ＡＤＤＲを受信する処理を実行する中央制御装置１０が、本発明の第１の受信手段に相当する。
【００８０】
本実施形態の通信装置３、及び、Ｓ３４で「カスタマーの携帯電話５」のＢＤ＿ＡＤＤＲを受信する処理を実行する中央制御装置１０が、本発明の第２の受信手段に相当する。
本実施形態のＬＡＮボード２６、及び、Ｓ３１の処理を実行する中央制御装置１０が、本発明の第３の受信手段に相当する。
【００８１】
本実施形態のＳ３３の処理を実行する中央制御装置１０が、本発明の第１の判定手段に相当する。
本実施形態のＳ３４の処理を実行する中央制御装置１０が、本発明の第２の判定手段に相当する。
【００８２】
本実施形態のＳ３の処理を実行する中央制御装置１０が、本発明の通信範囲切替手段に相当し、Ｓ２〜Ｓ４の一連の処理を行う中央制御装置が、本発明の確認処理に相当する。
本実施形態のＳ２〜Ｓ４及びＳ１１の処理を実行する中央制御装置１０が、本発明の第３の判定手段に相当する。
【００８３】
本実施形態のＳ２〜Ｓ４及びＳ９の処理を実行する中央制御装置１０が、本発明の第４の判定手段に相当する。
本実施形態のＳ３６の処理を実行する中央制御装置１０が、本発明の第５の判定手段に相当する。
【００８４】
本実施形態のＳ３３、Ｓ５０の処理を実行する中央制御装置１０が、本発明の第１の出力制御手段に相当する。
本実施形態のＳ３４、Ｓ４２の処理を実行する中央制御装置１０が、本発明の第１、第２の制限制御手段に相当する。
【００８５】
本実施形態のＳ９、Ｓ４２の処理を実行する中央制御装置１０が、本発明の第３の制限制御手段に相当する。
本実施形態のＳ３７，Ｓ４２の処理を実行する中央制御装置１０が、本発明の第４の制御手段に相当する。
【００８６】
本実施形態のＳ３８、Ｓ４１の処理を実行する中央制御装置１０が、本発明の通知手段に相当する。
本実施形態の液晶モニター６０が、本発明の報知手段に相当する、
本実施形態の「２．出力する」の操作コマンドを送信するオーナーの携帯電話５が、本発明の制限解除手段に相当する。そして、本実施形態のＳ４２で出力と判定する処理が、本発明の制限解除手段に基づいて制限を解除する処理に相当する。
【００８７】
尚、本発明の実施の形態は、上記実施形態に何ら限定されるものではなく、本発明の技術的範囲に属する限り種々の形態を採り得ることはいうまでもない。
例えば、本実施では、プリンタについて説明したが、テレビや、映写機、ファクシミリなど、画像を出力可能な装置であれば、どのようものに適用してもよい。
【００８８】
また、通信装置３は、プリンタ１に取り付ける必要はなく、上記効果を奏する場所であれば、プリンタ１の近傍等どこでもよい。
また、本実施形態では、携帯電話５をプリンタ１のユーザーが携帯する例について説明したが、同種の通信装置を携帯電話以外のものに組み込んでもよく、例えば、通信装置を組み込んだ名札等を用いてもよい。この場合、Ｓ３８及びＳ４１での通知は、オーナーが所有する、あるいはオーナーが印刷ジョブを出力したパソコン等に行い、そのパソコンから応答を受けるようにしてもよいし、名札等に音声を出力させるスピーカ等を搭載し、音声によって通知してもよい。
【００８９】
また、セキュリティーＬｖは、社内的な階級（部長、課長、係長等）ばかりではなく、年齢や、性別等に基づいて設定してもよい。
また、本実施形態では、プリンタについて説明したが、ディスプレイ装置において実施してもよく、その場合は、カスタマーがディスプレイ装置に近づいたときに、その表示を中止したり、黒塗りにしてもよい。
【００９０】
また、本実施形態では、プリンタ１と携帯電話５との通信規格としてＢＬＵＥＴＯＯＴＨ規格の無線ＬＡＮを用いたが、これ以外の無線ＬＡＮ規格を用いてもよい。
また、本実施形態では、Ｓ３３，Ｓ３４，Ｓ３６，Ｓ３７，Ｓ３８，Ｓ４１の判断ステップ、及び、その判断ステップに関連する処理を全て備えた例を挙げて説明したが、適宜必要に応じた判断ステップ及びその判断ステップに関連する処理のみを採用した構成としても良い。即ち、Ｓ３３，Ｓ３７の判断ステップ及びその判断ステップに関連する処理を採用して、オーナーがプリンタ１に近づき（Ｓ３３：ＹＥＳ）、かつ、他のオーナーからの印刷ジョブが投入されていない場合（Ｓ３７：ＮＯ）に、印刷を実行する構成としても良いし、Ｓ３４の判断ステップ及びその判断ステップに関連する処理を採用して、オーナーからの印刷ジョブが投入され（Ｓ３１：ＹＥＳ）、かつ、カスタマーがプリンタ１の近くにいない場合（Ｓ３４：ＮＯ）に、印刷を実行する構成としても良い。
【００９１】
ところで、本実施形態の画像出力システムでは、複数の人がプリンタ１を利用する場合が想定されており、上述したカスタマーもオーナーとなって、印刷ジョブをプリンタ１で実行させることができる。
また、上述した実施形態ではＳ３８で、セキュリティＬｖに関わらず、オーナー以外のユーザーから印刷ジョブがプリンタ１に投入された場合は制限したが、その印刷ジョブのセキュリティＬｖを見て、オーナーのセキュリティＬｖよりも、低いセキュリティＬｖが関連付けられた印刷ジョブが投入された場合にのみ制限を加えてもよい。すなわち、Ｓ３７の判定で否定判定するよう構成してもよい。
【００９２】
オーナーがプリンタ１の近くにいるとき、セキュリティＬｖがオーナーより低いカスタマーから印刷ジョブの投入された場合、そのカスタマーがプリンタ１に近づいてくる可能性が高い。そのため、このような場合に、オーナーの印刷ジョブの実行を制限することで、オーナーの印刷物が、見られては困る人に見られることがより効果的に防止することができる。
【００９３】
尚、このようにした場合、オーナーについてＳ３３、Ｓ５０の処理を実行する中央制御装置１０が、本発明の第２の出力制御手段に相当し、また、カスタマーについてＳ３３，Ｓ５０に相当する処理を実行する中央制御装置１０が、本発明の第３の出力制御手段に相当し、本実施形態のＳ３７、Ｓ４１の処理を実行する中央制御装置１０が、本発明の第４の制限制御手段に相当する。
【図面の簡単な説明】
【図１】  プリンタのブロック図である。
【図２】  携帯電話のブロック図である。
【図３】  携帯電話の外観図である。
【図４】  セキュリティＤＢと印刷ジョブデータを説明するための説明図である。
【図５】  出力処理のフローチャートである。
【図６】  移動検知処理のフローチャートである。
【符号の説明】
１・・・プリンタ、３・・・通信装置、５・・・携帯電話、１０・・・中央制御装置、１２・・・ＣＰＵ、１４・・・ＲＡＭ、１６・・・ＲＯＭ、２０・・・画像出力装置、２２・・・画像出力装置制御回路、２４・・・カードスロット、２６・・・ＬＡＮボード、２８・・・バス、５０・・・中央制御装置、５２・・・ＣＰＵ、５４・・・ＲＡＭ、５６・・・ＲＯＭ、６０・・・液晶モニター、６２・・・液晶モニター制御回路、６４・・・スピーカ、６６・・・スピーカ制御回路、６８・・・通信装置、７０・・・電話装置、７２・・・操作ボタン、７４・・・操作ボタン制御回路、８０・・・バス。
【図１】
0003931717.tif 000002
【図２】
0003931717.tif 000003
【図３】
0003931717.tif 000004
【図４】
0003931717.tif 000005
【図５】
0003931717.tif 000006
【図６】
0003931717.tif 000007